(57)【特許請求の範囲】
【請求項１】
排気管の途中に装備した排気浄化材の上流にバーナを設け、該バーナの燃焼により前記排気浄化材を加熱し得るようにした後処理バーナシステムの暖機方法であって、バーナの雰囲気温度が所定温度以下となっている条件下で前記バーナの燃料噴霧を担う電磁弁式のインジェクタに対し燃料供給を停止した状態で通電を行い、インジェクタ内部の電磁コイルに通電によるジュール熱を発生させて暖機を行うことを特徴とする後処理バーナシステムの暖機方法。
【請求項２】
インジェクタに対する通電時間をバーナの雰囲気温度に応じて変更することを特徴とする請求項１に記載の後処理バーナシステムの暖機方法。
【発明の詳細な説明】
【技術分野】
【０００１】
本発明は、後処理バーナシステムの暖機方法に関するものである。
【背景技術】
【０００２】
従来より、ディーゼルエンジンにおいては、排気ガスが流通する排気管の途中にパティキュレートフィルタを装備し、該パティキュレートフィルタを通して排気ガス中に含まれるパティキュレート（Particulate Matter：粒子状物質）を捕集するようにしているが、通常のディーゼルエンジンの運転状態においては、パティキュレートが自己燃焼するほどの高い排気温度が得られる機会が少ないため、ＰｔやＰｄ等を活性種とする酸化触媒をパティキュレートフィルタに一体的に担持させるようにしている。
【０００３】
即ち、このような酸化触媒を担持させたパティキュレートフィルタを採用すれば、捕集されたパティキュレートの酸化反応が促進されて着火温度が低下し、従来より低い排気温度でもパティキュレートを燃焼除去することが可能となる。
【０００４】
ただし、斯かるパティキュレートフィルタを採用した場合であっても、排気温度の低い運転領域では、パティキュレートの処理量よりも捕集量が上まわってしまうので、このような低い排気温度での運転状態が続くと、パティキュレートフィルタの再生が良好に進まずに該パティキュレートフィルタが過捕集状態に陥る虞れがある。
【０００５】
そこで、パティキュレートフィルタの前段にフロースルー型の酸化触媒を付帯装備させ、パティキュレートの堆積量が増加してきた段階で前記酸化触媒より上流の排気ガス中に燃料を添加してパティキュレートフィルタを強制再生することが考えられている。
【０００６】
つまり、酸化触媒より上流の排気ガス中に燃料を添加すれば、その添加燃料（ＨＣ）が前段の酸化触媒を通過する間に酸化反応するので、その反応熱で昇温した排気ガスの流入により直後のパティキュレートフィルタの触媒床温度が上げられてパティキュレートが燃やし尽くされ、パティキュレートフィルタの再生化が図られることになる。
【０００７】
ただし、渋滞路ばかりを走行する都市部の路線バス等のように排気温度の低い運転状態が長く続く運行形態の車輌にあっては、前段の酸化触媒が十分な触媒活性を発揮し得る触媒床温度まで昇温し難く、該酸化触媒における添加燃料の酸化反応が活発化してこないため、パティキュレートフィルタを短時間のうちに効率良く再生することができないという問題があった。
【０００８】
このため、近年においては、パティキュレートフィルタの入側にバーナを設け、車輌の運転状態に拘わらず前記バーナの燃焼により捕集済みパティキュレートを焼却し、パティキュレートフィルタを短時間のうちに効率良く再生させることが検討されている。
【０００９】
尚、この種の排気浄化触媒や排気ガスをバーナを用いて加熱する技術に関連する先行技術文献情報としては下記の特許文献１や特許文献２がある。
【先行技術文献】
【特許文献】
【００１０】
【特許文献１】特開平５−８６８４５号公報
【特許文献２】特開平６−１６７２１２号公報
【発明の概要】
【発明が解決しようとする課題】
【００１１】
しかしながら、寒冷地等における冷間始動時において、直ぐにパティキュレートフィルタの強制再生を行いたい場合や、パティキュレートフィルタの下流側に配置される各種触媒（尿素水やＨＣを還元剤としてＮＯxを還元浄化する選択還元型触媒等）の床温度を上げて活性化を促したい場合に、冷え切った状態のバーナで燃焼を開始しようとしても、インジェクタ内部における燃料が冷えて粘度の高い状態となっているため、燃料噴霧が良好に微粒化されず、着火が不安定になるという不具合があった。
【００１２】
本発明は上述の実情に鑑みてなしたもので、冷間始動時にバーナを暖機して着火の安定性を改善することを目的とする。
【課題を解決するための手段】
【００１３】
本発明は、排気管の途中に装備した排気浄化材の上流にバーナを設け、該バーナの燃焼により前記排気浄化材を加熱し得るようにした後処理バーナシステムの暖機方法であって、バーナの雰囲気温度が所定温度以下となっている条件下で前記バーナの燃料噴霧を担う電磁弁式のインジェクタに対し燃料供給を停止した状態で通電を行い、インジェクタ内部の電磁コイルに通電によるジュール熱を発生させて暖機を行うことを特徴とするものである。
【００１４】
而して、このようにすれば、寒冷地等における冷間始動時にバーナが冷え切った状態となっていても、バーナの雰囲気温度が所定温度以下となっている条件下でインジェクタに対し通電が成され、該通電によりインジェクタ内部の電磁コイルがジュール熱を発生し、これによりインジェクタ内部の燃料が加熱されて粘度が低下するので、燃料噴霧が良好に微粒化されて着火の安定性が大幅に向上されることになる。
【００１５】
尚、電磁コイルに通電してバーナを暖機するにあたっては、燃料供給を停止した状態で行うようにしているので、電磁コイルが通電により励磁してインジェクタ内部の燃料回路が切り替わってもインジェクタから燃料が噴霧されることはない。
【００１６】
更に、本発明の方法においては、インジェクタに対する通電時間をバーナの雰囲気温度に応じて変更することが好ましく、このようにすれば、バーナの雰囲気温度が低いほどインジェクタに対する通電時間が長くなるようにしてジュール熱の発生量を増やすことが可能となる。
【発明の効果】
【００１７】
上記した本発明の後処理バーナシステムの暖機方法によれば、下記の如き種々の優れた効果を奏し得る。
【００１８】
（Ｉ）本発明の請求項１に記載の発明によれば、バーナの雰囲気温度が所定温度以下となっている条件下でインジェクタに対し通電を行い、該通電によりインジェクタ内部の電磁コイルにジュール熱を発生させ、インジェクタ内部の燃料を加熱して粘度を低下させることができるので、寒冷地等における冷間始動時にバーナが冷え切った状態となっていても、燃料噴霧を良好に微粒化することができて着火の安定性を大幅に改善することができる。
【００１９】
（ＩＩ）本発明の請求項１に記載の発明によれば、冷間始動時にバーナを暖機するにあたり、特殊な付帯設備を新たに増設する必要がなく、インジェクタ内部に既設の電磁コイルに通電することによるジュール熱を利用してバーナの暖機を行うことができるので、極めて安価なコストで実施することができる。
【００２０】
（ＩＩＩ）本発明の請求項２に記載の発明によれば、バーナの雰囲気温度が低いほどインジェクタに対する通電時間が長くなるようにしてジュール熱の発生量を増やすことができるので、より確実にバーナを暖機して着火の安定性を改善することができると共に、過剰な通電を極力回避して該通電に要する消費電力を必要最小限に抑制することができる。
【図面の簡単な説明】
【００２１】
【図１】本発明を適用する後処理バーナシステムの基本構成を示す概略図である。
【図２】図１の制御装置で行われる制御手順を説明するフローチャートである。
【図３】図２のバーナ暖機処理に関する詳細な制御手順を示すフローチャートである。
【図４】バーナの雰囲気温度と通電時間との関係を示すグラフである。
【図５】図２のバーナ作動処理に関する詳細な制御手順を示すフローチャートである。
【発明を実施するための形態】
【００２２】
以下本発明の実施の形態を図面を参照しつつ説明する。
【００２３】
図１〜図５は本発明を適用する後処理バーナシステムの基本構成を示すもので、図１中における符号１はターボチャージャ２を装備したディーゼルエンジンを示しており、エアクリーナ３から導かれた吸気４が吸気管５を通し前記ターボチャージャ２のコンプレッサ２ａへと送られ、該コンプレッサ２ａで加圧された吸気４がインタークーラ６へと送られて冷却され、該インタークーラ６から更に吸気マニホールド７へと吸気４が導かれてディーゼルエンジン１の各気筒８（図１では直列６気筒の場合を例示している）に分配されるようになっており、また、前記ディーゼルエンジン１の各気筒８から排出された排気ガス９は、排気マニホールド１０を介しターボチャージャ２のタービン２ｂへと送られ、該タービン２ｂを駆動した後に排気管１１へと送り出されるようになっている。
【００２４】
そして、前記排気管１１の途中に、酸化触媒を一体的に担持したパティキュレートフィルタ１２（排気浄化材）がマフラ１３に抱持されて装備されていると共に、該パティキュレートフィルタ１２の前段には、適量の燃料を噴射して着火燃焼せしめるバーナ１４が装備されている。
【００２５】
このバーナ１４には、該バーナ１４の燃料噴霧を担う電磁弁式のインジェクタ１５と、その噴射口から噴射された燃料に点火するための点火プラグ１６と、火炎温度を検出する温度センサ１７とが備えられているが、この温度センサ１７は、バーナ１４の非燃焼時にあってもバーナ１４の雰囲気温度を検出するようになっており、その検出信号１７ａはエンジン制御コンピュータ（ＥＣＵ：Electronic Control Unit）を成す制御装置１８に入力されるようになっている。
【００２６】
そして、前記制御装置１８においては、前記検出信号１７ａに基づいて把握されるバーナ１４の雰囲気温度が所定温度以下となっている条件下で、前記インジェクタ１５へ向け作動を指令する作動信号１５ａが出力されるようになっており、より具体的には、前記インジェクタ１５に対して通電が成されるようになっている。
【００２７】
この際、インジェクタ１５に燃料を供給する燃料ポンプ１９には、該燃料ポンプ１９の作動を指令する作動信号１９ａが出力されないようにしてあり、より具体的には、前記燃料ポンプ１９に対する通電が遮断されるようになっている。
【００２８】
尚、通常のバーナ１４の作動状態にあっては、前記燃料ポンプ１９に対し作動を指令する作動信号１９ａが出力されると共に、前記点火プラグ１６に対しスパークを指令する点火信号１６ａが出力され、更には、ターボチャージャ２のコンプレッサ２ａの下流から吸気４の一部を抜き出して燃焼用空気としてバーナ１４に導く燃焼用空気供給管２０の燃焼エアバルブ２１に対し開弁動作を指令する開弁信号２１ａが出力された上で、前記インジェクタ１５へ向け作動を指令する作動信号１５ａが出力されるようになっている。
【００２９】
図２は前記制御装置で行われる制御手順をフローチャートで説明したものであり、バーナ１４の作動要求が生じた時に、温度センサ１７により検出されるバーナ１４の雰囲気温度が０℃を下まわっているか否かが判定され、０℃を下まわっている場合には、バーナ暖機処理が選択され、その処理後に再び雰囲気温度の判定が行われるようになっており、バーナ１４の雰囲気温度が０℃以上の場合には、通常のバーナ作動処理が選択されるようになっている。尚、ここではバーナ暖機処理への移行を判定する閾値を０℃として説明しているが、この閾値を０℃以外の任意の温度で設定し得ることは勿論である。
【００３０】
図３は図２のフローチャートにおけるバーナ暖機処理に関する詳細な制御手順を示したもので、先ずインジェクタ１５の通電が開始されると、雰囲気温度に応じた通電時間が図４の如き制御マップから読み出され、その読み出された通電時間が経過するのを待ってインジェクタ１５の通電が終了し、これによりバーナ暖機処理が終了されるようになっている。
【００３１】
因みに図５は図２のフローチャートにおける通常のバーナ作動処理に関する詳細な制御手順を示したもので、このような通常のバーナ１４の作動の制御においては、燃料ポンプ１９の作動、点火プラグ１６のスパークの開始、燃焼用空気供給管２０の燃焼エアバルブ２１の開弁動作が夫々実行された上でインジェクタ１５の制御が開始され、バーナ１４の着火制御、パティキュレートフィルタ１２を強制再生するための再生制御、或いは、その下流側に配置される各種触媒（尿素水やＨＣを還元剤としてＮＯxを還元浄化する選択還元型触媒等）の床温度を上げて活性化を促すための昇温制御が実施され、その再生条件又は昇温条件がクリアされた時にバーナ作動処理が終了されるようになっている。
【００３２】
而して、このような制御手順でバーナ１４を制御すれば、寒冷地等における冷間始動時にバーナ１４が冷え切った状態となっていても、温度センサ１７により検出されるバーナ１４の雰囲気温度が所定温度以下となっている条件下でインジェクタ１５に対し通電が成され、該通電によりインジェクタ１５内部の電磁コイルがジュール熱を発生し、これによりインジェクタ１５内部の燃料が加熱されて粘度が低下するので、燃料噴霧が良好に微粒化されて着火の安定性が大幅に向上されることになる。
【００３３】
尚、電磁コイルに通電してバーナ１４を暖機するにあたっては、燃料ポンプ１９に対し作動を指令する作動信号１９ａを出力しないようにして、燃料供給を停止した状態で行うようにしているので、電磁コイルが通電により励磁してインジェクタ１５内部の燃料回路が切り替わってもインジェクタ１５から燃料が噴霧されることはない。
【００３４】
従って、上記形態例によれば、バーナ１４の雰囲気温度が所定温度以下となっている条件下でインジェクタ１５に対し通電を行い、該通電によりインジェクタ１５内部の電磁コイルにジュール熱を発生させ、インジェクタ１５内部の燃料を加熱して粘度を低下させることができるので、寒冷地等における冷間始動時にバーナ１４が冷え切った状態となっていても、燃料噴霧を良好に微粒化することができて着火の安定性を大幅に改善することができる。
【００３５】
また、冷間始動時にバーナ１４を暖機するにあたり、特殊な付帯設備を新たに増設する必要がなく、インジェクタ１５内部に既設の電磁コイルに通電することによるジュール熱を利用してバーナ１４の暖機を行うことができるので、極めて安価なコストで実施することができる。
【００３６】
更に、バーナ１４の雰囲気温度が低いほどインジェクタ１５に対する通電時間が長くなるようにしてジュール熱の発生量を増やすことができるので、より確実にバーナ１４を暖機して着火の安定性を改善することができると共に、過剰な通電を極力回避して該通電に要する消費電力を必要最小限に抑制することができる。
【００３７】
尚、本発明の後処理バーナシステムの暖機方法は、上述の形態例にのみ限定されるものではなく、図示例においては、バーナ直後の排気浄化材がパティキュレートフィルタの場合について説明しているが、本発明の後処理バーナシステムは、酸素共存下でも選択的にＮＯxを還元剤と反応させる性質を備えた選択還元型触媒や、排気空燃比がリーンの時に排気ガス中のＮＯxを酸化して硝酸塩の状態で一時的に吸蔵し且つ排気ガス中のＯ2濃度が低下した時に未燃ＨＣやＣＯ等の介在によりＮＯxを分解放出して還元浄化する性質を備えたＮＯx吸蔵還元触媒等といった各種の排気浄化触媒を排気浄化材としてパティキュレートフィルタに替えて配置、或いは、パティキュレートフィルタの下流側に別途配置した場合にも同様に適用することができる、即ち、これらの排気浄化触媒を冷間時に活性温度域まで昇温させるためにバーナを使用する形態の後処理バーナシステムにも同様に適用できることは勿論である。
【符号の説明】
【００３８】
１１  排気管
１２  パティキュレートフィルタ（排気浄化材）
１４  バーナ
１５  インジェクタ
１５ａ  作動信号
１７  温度センサ
１７ａ  検出信号
１８  制御装置
１９  燃料ポンプ
１９ａ  作動信号
【図１】
0005383615.tif 000002
【図２】
0005383615.tif 000003
【図３】
0005383615.tif 000004
【図４】
0005383615.tif 000005
【図５】
0005383615.tif 000006